(57)【要約】  【課題】複数ドアの開閉の検知において、高感度のホールＩＣを使って一極集中化して組立作業性のいい冷蔵庫を提供する。  【解決手段】ホールＩＣを高感度タイプにすることにより、相手方のマグネットをコンパクトに最小化することが可能である。このコンパクトマグネットの採用により、キャップドアのマグネット部出っ張りを最小化でき、ドア間と仕切板とのスペースを有効に活用することでホールＩＣ一極集中化を実現できる。また、ホールＩＣの極性依存を無くしたことで、コンパクトマグネットのＳ極表示や、キャップドアへの誤取付防止のため、面取り等の追加を行うことなく組み立て加工ができ、組立作業性の向上を図ることが可能となる。【選択図】図２
2010065975.tif 000002
【特許請求の範囲】
【請求項１】
内部に複数の冷却室を有すると共に、前面に各冷却室を開閉するための複数のドアを有する冷蔵庫本体と、この冷蔵庫本体における前面において前記各冷却室を仕切る仕切板と、前記複数のドアの開閉を検知し、マグネットの極性に依存せずに検知でき、比較的小ない磁力でも検知できる感知精度を向上した複数のホールＩＣと、前記仕切板に配設され、前記ホールＩＣを組込んでユニット化された基板と、複数のホールＩＣに接続され、前記各ドアに各ホールＩＣと対応して設けられた極性判別を付加することなく設けられたコンパクトマグネットとを備えたことを特徴とする冷蔵庫。
【発明の詳細な説明】
【技術分野】
【０００１】
本発明は、複数のドアを有すると共に、各ドアの開閉を検出するドア開閉検出手段を有する冷蔵庫に関するものである。
【背景技術】
【０００２】
近年、女性の社会進出にともなう共働き家庭の増加や核家族化にともない、まとめ買いのニーズが高まっており、食品の多様化の影響もあり長期的に肉や魚、野菜などの生鮮食品を高品位に保存する多くの区画室、例えば、野菜室・冷蔵室・チルド室・パーシャル氷温室・冷凍室等の区画室がある家庭用冷蔵庫が切望されている。
【０００３】
このような多ドア化にともない各ドアスイッチやホールＩＣはドアの開放・閉鎖を検出し、開放時には庫内ファンを停止させると共に、所定の冷却室の庫内灯を点灯させ、閉鎖時には庫内ファンを運転させると共に、上記庫内灯を消灯させるものである（例えば、特許文献１参照）。
【０００４】
図４は、従来のホールＩＣ１とマグネット２配置の要部断面図を示すものである。図４に示すように、ドア開閉のタイミングでマグネット２の磁力がホールＩＣ１に作用し庫内灯や庫内ファンのＯＮ／ＯＦＦ制御を行っていた。
【０００５】
図５に示すように、マグネット２極性を決めてホールＩＣ１側に向くよう表示し、方向性を設定していた。また、キャップドア３への装着時、方向性を確認してマグネット２をキャップドア３へすなわちドア側へ組み込んでいた。なお、誤挿入防止のため面取り部４を設けていた。
【０００６】
さらに、ホールＩＣ１の検知能力が低かったため、マグネット２の磁力を上げるため、比較的大型のマグネット２を採用していた。
【０００７】
このため、図６に示すようにドア同士の間隔が大きくなるため、スペース上、マグネット２を集中さすことが困難でありホールＩＣ１を各仕切板へマグネット２を各ドアに分散していた為、冷蔵庫の外観品位の低下を招き、見劣りする状態にあった。
【特許文献１】特許第２９５１１１７号公報
【発明の開示】
【発明が解決しようとする課題】
【０００８】
しかしながら、上記従来の構成では、マグネット極性を決めてホールＩＣ側に向くよう設定しないと動作しない、あるいは誤動作に繋がる危険性があった。そのため、マグネット極性を決めてホールＩＣ側に向くよう設定し、キャップドアへの装着時、方向性を確認してマグネットをキャップドアへすなわちドア側へ組み込んでいた。
【０００９】
このマグネット極性である方向性を目視できるようにＳ極側にマークをしていた。また、キャップドアへの誤挿入防止のためマグネット本体に面取り加工をし、誤挿入時は挿入できない構造を取っていた。部品加工性や組立て性に手間が掛かり、コストアップの要因となっていた。
【００１０】
また、ホールＩＣの検知能力が低かったため、マグネットの磁力を上げるために比較的大型のマグネットを採用していた。
【００１１】
このため、仕切板等のスペース上、マグネットを集中さすことが困難でありホールＩＣを各仕切板へマグネットを各ドアに分散していた。
【００１２】
集中させてホールＩＣを一極集中化できない、作業工数の掛かる課題があった。
【００１３】
本発明は上記従来の課題を解決するものであり、極性に依存しない、検知能力を向上させたホールＩＣの採用により各ドアに必要なスイッチ機構を一極集中し、マグネットの極性に依存しない組み立て性を改善し、マグネットのコンパクト化により外観品位をさらに向上したホールＩＣ・マグネットを構成する冷蔵庫を提供するものである。
【課題を解決するための手段】
【００１４】
上記従来の課題を解決するために、本発明のホールＩＣとコンパクトマグネットとを備えたことを特徴とする冷蔵庫では、極性に左右されないで、かつ検知感度を向上したホールＩＣの採用によりマグネットをコンパクトに最小化した。
【００１５】
これによって、マグネット取付けの方向性やドアのキャップドアの出っ張りを最小限にし、ホールＩＣの一極集中化を促進する。
【発明の効果】
【００１６】
本発明のホールＩＣは極性に左右されないで、かつ検知感度を向上したものであり、相手方のマグネットをコンパクトに最小化でき、各ドア間と仕切板のスペースを有効に活用し、ホールＩＣを同一基板上に配列し一極集中化することが可能となる。しかも、キャップドアのマグネット部の出っ張りを最小化することにより、外観上のデザイン的品位向上にも寄与できるものである。
【００１７】
また、ホールＩＣが極性に左右されないため、従来のようにマグネットの方向性によるＳ極表示や、キャップドアへの誤取付防止のため、面取り等の追加を行うことなく組み立て加工ができ、非常に作業性の向上を図ることができた。
【発明を実施するための最良の形態】
【００１８】
請求項１に記載の発明は、複数ドアの開閉の検知において、マグネットの極性に依存せずに検知でき、比較的小ない磁力でも検知できる感知精度を向上した複数のホールＩＣと、前記仕切板に配設され、前記ホールＩＣ組込んでユニット化された基板と、複数のホールＩＣに接続され、前記各ドアに各ホールＩＣと対応して設けられた極性判別を付加することなく設けられたコンパクトマグネットとを備えたことを特徴としたものである。
【００１９】
まず、ホールＩＣを高感度タイプにすることにより、相手方のマグネットをコンパクトに最小化することが可能である。このコンパクトマグネットの採用により、キャップドアのマグネット部出っ張りを最小化でき、ドア間と仕切板とのスペースを有効に活用することでホールＩＣ一極集中化を実現できる。また、ホールＩＣの極性依存を無くしたことで、コンパクトマグネットのＳ極表示や、キャップドアへの誤取付防止のため、面取り等の追加を行うことなく組み立て加工ができ、非常に作業性の向上を図ることができる。
【００２０】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２１】
（実施の形態１）
本発明の実施の形態１について、図面を参照しながら説明する。
【００２２】
図１は本実施の形態における冷蔵庫の全体斜視図、図２はホールＩＣとコンパクトマグネットとの要部断面図である。図３はキャップドアとコンパクトマグネットとの組込み状態を表わす斜視図である。
【００２３】
図１に示すように、冷蔵庫本体１０１は複数の冷却室１０１ａを構成し、上から冷蔵室１０２、その下方左の製氷室１０３と右の切替室１０４とその下方の冷凍室１０５およびさらに下部の野菜室１０６から構成されている。前記冷蔵庫本体１０１の前面には、複数のドア１０７ａを構成し、各々冷蔵室用左ドア１０７、冷蔵室用右ドア１０８、製氷室用ドア１０９、切替室用ドア１１０、冷凍室用ドア１１１および野菜室用ドア１１２が設けられている。
【００２４】
冷蔵室用左ドア１０７および冷蔵室用右ドア１０８はそれぞれ冷蔵庫本体１０１の左右端部に設けられたヒンジ１１３および１１４により観音開き可能に支持されている。また、製氷室用ドア１０９、切替室用ドア１１０、冷凍室用ドア１１１および野菜室用ドア１１２は、各室に引き出し可能に設けられた容器の前部に取り付けられていて、この容器が奥まで押し込まれたときに閉扉し各室を閉塞する。
【００２５】
図２に示すように、製氷室用ドア１０９、切替室用ドア１１０、冷蔵室用左ドア１０７および冷蔵室用右ドア１０８とを仕切る仕切板１１５には基板１１６が構成され、この基板１１６には予め各ドアの開閉を検出するドア開閉検出手段を有する複数のホールＩＣ１１７ａを構成し、ホールＩＣ１１７〜１２０が集中的に配置されている。ホールＩＣ１１７は冷蔵室用左ドア１０７用、ホールＩＣ１１８は冷蔵室用右ドア１０８用、また、ホールＩＣ１１９は製氷室用ドア１０９用、ホールＩＣ１２０は切替室用ドア１１０用である。
【００２６】
一方、各ドア冷蔵室用左ドア１０７、冷蔵室用右ドア１０８、製氷室用ドア１０９および切替室用ドア１１０には、上記各ホールＩＣ１１７、１１８、１１９および１２０を動作させるためのコンパクトマグネット１２１、１２２、１２３および１２４が配設されている。すなわち、コンパクトマグネット１２１は、冷蔵室用左ドア１０７端部の下面に、キャップドア１２５へ組込み後、断熱材を充填して一体的に設けられ、コンパクトマグネット１２２は、冷蔵室用右ドア１０８端部の下面に、キャップドア１２６へ組込み後、断熱材を充填して一体的に設けられ、コンパクトマグネット１２３は、製氷室用ドア１０９端部の上面に、キャップドア１２７へ組込み後、断熱材を充填して一体的に設けられ、コンパクトマグネット１２４は、切替室用ドア１１０端部の下面に、キャップドア１２８へ組込み後、断熱材を充填して一体的に設けられている。
【００２７】
このように各ホールＩＣ１１７、１１８、１１９および１２０は、冷蔵庫本体１０１において各ドア１０７、１０８、１０９および１１０が近接する部分に集中的に配設されている。
【００２８】
このように構成した本実施の形態によれば、ドア開閉検出手段をホールＩＣＩＣ１１７、１１８，１１９および１２０と磁束密度を従来のままで、従来比１／４の体積比にしたコンパクトマグネット１２１、１２２、１２３および１２４により構成したので、各ドア開閉検出手段としての大きさが小さく、従って、これらを集中配置する場合に配置スペースを小さくでき、しかも各ドア開閉検出手段を構成するホールＩＣＩＣ１１７、１１８，１１９および１２０がこのように小さいことから、冷蔵庫本体１０１に埋設させずに使用することも可能で、特に、本実施の形態のように基板１１６にホールＩＣＩＣ１１７、１１８，１１９および１２０を実装してユニット化し、これらのユニットを冷蔵庫本体１０１に取り付けることができ、結論としてドア開閉検出手段の組立作業性・取付性の向上を図ることができた。
【００２９】
さらに、ホールＩＣＩＣ１１７、１１８，１１９および１２０は、もともと半導体集積回路をチップ化したものであるので、基板１１５に対して自動装着が可能で製造性に優れている。しかも各ホールＩＣＩＣ１１７、１１８，１１９および１２０はコンパクトマグネット１２１、１２２、１２３および１２４の磁気に対して指向性があり、従って、これらのホールＩＣＩＣ１１７、１１８，１１９および１２０を基板１１６に配置する場合に、ホールＩＣＩＣ１１７、１１８，１１９および１２０に対応するコンパクトマグネット１２１、１２２、１２３および１２４の磁気の指向性を考慮しておけば、ホールＩＣＩＣ１１７、１１８，１１９および１２０を互いに狭い領域に集中配置しても誤動作することがなく、従って、仕切板１１４という狭いところにも何等支障なく配置できるものである。ちなみに、ドア開閉手段としてリードスイッチが考えられるが、これはマグネットの磁気に対してどの方向からでも応動するものであり、これは集中配置には適合しにくいものである。
【００３０】
しかも、本発明のホールＩＣＩＣ１１７、１１８，１１９および１２０コンパクトマグネット１２１、１２２、１２３および１２４に対し、極性に依存しないため、例えばＳ極の判別表示を付加したり、キャップドアへの取付組立時に誤挿入防止のためにコーナー部を面取りして対応する必要性もなく組立作業性改善に多大なる貢献をすることができる。
【００３１】
なお、本実施の形態によれば、従来のホールＩＣ仕様に比べて、高感度な極性に依存しない新ホールＩＣにすることにより、各ドア間の無効スペースを有効に利用することができ、マグネット体積を約１／４にすることにより、キャップドアのマグネット収納部の出っ張りを最小限に抑えて外観品位を高めた、完成度の高い、高品位な冷蔵庫を作ることが可能である。
【産業上の利用可能性】
【００３２】
以上のように、本発明にかかる複数ドアの開閉の検知において、マグネットの極性に依存せずに検知でき、比較的小ない磁力でも検知できる感知精度を向上した複数のホールＩＣと、前記仕切板に配設され、前記ホールＩＣ組込んでユニット化された基板と、複数のホールＩＣに接続され、前記各ドアに各ホールＩＣと対応して設けられた極性判別を付加することなく設けられたコンパクトマグネットとを備えたことを特徴としたものである。その結果、得られたホールＩＣの一極集中化、合理化により商品を安価に顧客に提供、食品は保存性の向上、作業性向上、外観品位向上などの効果が得られるので、業務用または家庭用の収納庫や冷凍装置や冷凍冷蔵庫やプレハブ収納庫などへの応用展開が可能である。
【図面の簡単な説明】
【００３３】
【図１】本実施の形態１における冷蔵庫の正面図
【図２】本実施の形態１におけるホールＩＣとコンパクトマグネットとの要部断面図
【図３】本実施の形態１におけるキャップドアとコンパクトマグネットとの要部断面図
【図４】従来のホールＩＣとマグネット配置の要部断面図
【図５】従来のマグネット取付の断面Ａ−Ａの要部断面図
【図６】従来のホールＩＣとマグネット配置の冷蔵庫の正面図
【符号の説明】
【００３４】
１０１    冷蔵庫本体
１０１ａ  冷却室
１０７ａ  複数のドア
１１５    仕切板
１１７ａ  複数のホールＩＣ
１２１    コンパクトマグネット
１２２    コンパクトマグネット
１２３    コンパクトマグネット
１２４    コンパクトマグネット
【図１】
2010065975.tif 000003
【図２】
2010065975.tif 000004
【図３】
2010065975.tif 000005
【図４】
2010065975.tif 000006
【図５】
2010065975.tif 000007
【図６】
2010065975.tif 000008